(57)【要約】【課題】より好適に使用者の肌に刺激を付与することができる美容器を提供する。【解決手段】回転部としてのローラブロック６１には、使用者の肌と当接するとともに自転可能なローラ部９０と、このローラ部９０を公転可能に支持する公転部を構成する第１取付台８１、第２取付台及び回転支軸７６とが備えられ、これらの内の第１取付台８１、第２取付台がモータ１６の駆動により自動で回転するように構成される。【選択図】図３
2011005187.tif 000002
【特許請求の範囲】
【請求項１】
使用者が把持可能な本体部と、その本体部の一端側に設けられ回転部を有するヘッド部とを備え、前記使用者の肌面上で前記回転部を回転させながら使用者の肌を押圧して刺激を付与する美容器であって、
前記回転部は、使用者の肌と当接するとともに自転可能なローラ部と、該ローラ部を公転可能に支持する公転部とを備え、前記公転部がモータの駆動により自動で回転するように構成されたことを特徴とする美容器。
【請求項２】
請求項１に記載の美容器において、
前記回転部には、自転可能な前記ローラ部の公転と同心円上に、該ローラ部とは別に自転不能に支持されるローラ部が設けられたことを特徴とする美容器。
【請求項３】
請求項１又は２に記載の美容器において、
自転可能な前記ローラ部は、少なくともその外表面が柔軟材で覆われる態様で構成されたことを特徴とする美容器。
【請求項４】
請求項１〜３のいずれか１項に記載の美容器において、
前記ローラ部は、金属部材で構成されたことを特徴とする美容器。
【請求項５】
請求項４に記載の美容器において、
前記金属部材は、その外表面に酸化膜を設ける処理を施したことを特徴とする美容器。
【請求項６】
請求項１〜５のいずれか一項に記載の美容器であって、
前記回転部を有する前記ヘッド部は、弾性部材を介してフロート支持されて構成されたことを特徴とする美容器。
【請求項７】
請求項１〜６のいずれか一項に記載の美容器であって、
前記ローラ部の周囲の前記ヘッド部の部位には、前記使用者の肌と当接可能な肌当接部を備え、
前記ローラ部は、その公転に伴う最外周軌跡が前記回転部の軸中心と直交する軸直交方向において前記肌当接部と同位若しくは外側に位置するように設定されたことを特徴とする美容器。
【請求項８】
請求項７に記載の美容器であって、
少なくとも外表面が柔軟材で覆われる自転可能な第１ローラ部と、
金属部材で構成されるとともに、前記第１ローラ部の公転と同心円上に該第１ローラ部とは別に自転不能に支持される第２ローラ部とを備えて前記回転部が構成されるものであり、
自転可能な前記第１ローラ部は、その最外周軌跡が自転不能に支持される前記第２ローラ部の前記最外周軌跡よりも前記軸直交方向において外側に位置するように設定されたことを特徴とする美容器。
【発明の詳細な説明】
【技術分野】
【０００１】
本発明は、使用者の肌面上で回転部を回転させながら使用者の肌を押圧して刺激を付与する美容器に関するものである。
【背景技術】
【０００２】
従来、本体部のハウジングに対して回転可能に支持される回転部（ローラ部）を使用者の肌に当ててその回転部を回転させることで、肌に刺激を付与する美容器が知られている（例えば特許文献１参照）。
【先行技術文献】
【特許文献】
【０００３】
【特許文献１】実用新案登録第２５９１２１１号公報
【発明の概要】
【発明が解決しようとする課題】
【０００４】
ところで、上記のような美容器では、回転部（ローラ部）を使用者の肌に当接させてそのローラ部を回転させながら使用するものであるため、例えばエスティシャンが行うように手の各指によって肌の同一部分に対し連続的に刺激を付与するような手技を模した動作を行うことは出来ず、より好適に使用者の肌に刺激を付与する美容器の開発が望まれている。
【０００５】
本発明は、上記課題を解決するためになされたものであって、その目的は、より好適に使用者の肌に刺激を付与することができる美容器を提供することにある。
【課題を解決するための手段】
【０００６】
上記課題を解決するために、請求項１に記載の発明は、使用者が把持可能な本体部と、その本体部の一端側に設けられ回転部を有するヘッド部とを備え、前記使用者の肌面上で前記回転部を回転させながら使用者の肌を押圧して刺激を付与する美容器であって、前記回転部は、使用者の肌と当接するとともに自転可能なローラ部と、該ローラ部を公転可能に支持する公転部とを備え、前記公転部がモータの駆動により自動で回転するように構成されたことをその要旨とする。
【０００７】
この発明では、回転部には、使用者の肌と当接するとともに自転可能なローラ部と、このローラ部を公転可能に支持する公転部とが備えられ、この公転部がモータの駆動により自動で回転するように構成される。このような構成とすることで、モータの駆動によってローラ部を公転させることができるため、そのローラ部が公転されて周期的（連続的）に使用者の肌の同一部分を刺激、つまりエステティシャンの行うような手技を模した動作とが可能となり、より好適に使用者の肌に刺激を付与することができる。また、回転部の回転方向が使用者の肌を持ち上げる方向となるように使用することで、本構成において、使用者の肌を持ち上げるような刺激を使用者に付与することができる。
【０００８】
請求項２に記載の発明は、請求項１に記載の美容器において、前記回転部には、自転可能な前記ローラ部の公転と同心円上に、該ローラ部とは別に自転不能に支持されるローラ部が設けられたことをその要旨とする。
【０００９】
この発明では、回転部には自転可能なローラ部の公転と同心円上に、そのローラ部とは別に自転不能に支持されるローラ部が設けられる。このように、自転不能に支持されるローラ部を設け、公転させることで、使用者の肌上を転がらず、肌を持ち上げる動作をより大きくすることが可能となる。これにより、より高い肌の引き上げ効果を使用者に付与することができる。
【００１０】
請求項３に記載の発明は、請求項１又は２に記載の美容器において、自転可能な前記ローラ部は、少なくともその外表面が柔軟材で覆われる態様で構成されたことをその要旨とする。
【００１１】
この発明では、自転可能なローラ部の少なくとも外表面が柔軟材で覆われることで、使用者の肌との当接の際の当たり感をソフトにすることができ、好適な刺激を使用者に付与することが可能となる。
【００１２】
請求項４に記載の発明は、請求項１〜３のいずれか一項に記載の美容器において、前記ローラ部は、金属部材で構成されたことをその要旨とする。
この発明では、ローラ部は、金属部材で構成されるため、ローラ部の自重を大きくでき、公転されるローラ部による使用者の肌との当接の際の刺激の大きさを大きくでき、肌への刺激を高めることができる。また、請求項２に記載の構成の様に自転不能に支持されるローラ部を金属部材で構成し、請求項３に記載の構成の様に外周面を柔軟材で覆わない構成とすることで、金属部材の滑らかな外表面により使用者の肌上を滑るような動作が実現可能となる。このため、例えば自転不能なローラ部の外表面をゴム等の柔軟材で覆う構成と比較した場合に、上記構成では使用者への過度な刺激を抑えることができ、より好適な刺激を付与することが可能となる。
【００１３】
請求項５に記載の発明は、請求項４に記載の美容器において、前記金属部材は、その外表面に酸化膜を設ける処理を施したことをその要旨とする。
この発明では、金属部材は、その外表面に酸化膜を設ける処理が施される。このような構成とすることで、皮脂などによる金属部材の酸化にて発生する酸化物の汚れなどの発生を抑えることができる。
【００１４】
請求項６に記載の発明は、請求項１〜５のいずれか一項に記載の美容器であって、前記回転部を有する前記ヘッド部は、弾性部材を介してフロート支持されて構成されたことをその要旨とする。
【００１５】
この発明では、回転部を有するヘッド部は、弾性部材を介してフロート支持されて構成される。このため、使用者の肌に対して回転部を構成するローラ部の当たり感を柔軟にすることができ、使用者に好適に刺激を付与することが可能となる。
【００１６】
請求項７に記載の発明は、請求項１〜６のいずれか一項に記載の美容器であって、前記ローラ部の周囲の前記ヘッド部の部位には、前記使用者の肌と当接可能な肌当接部を備え、前記ローラ部は、その公転に伴う最外周軌跡が前記回転部の軸中心と直交する軸直交方向において前記肌当接部と同位若しくは外側に位置するように設定されたことをその要旨とする。
【００１７】
この発明では、ローラ部の周囲の前記ヘッド部の部位には、使用者の肌と当接可能な肌当接部が備えられる。そして、ローラ部は、その公転に伴う最外周軌跡が回転部の軸中心と直交する軸直交方向において肌当接部と同位若しくは外側に位置するように設定される。このような構成とすることで、本装置使用中における回転部の軸直交方向において、肌当接部にて使用者の肌の移動（変位）が抑えられる。このため、ローラ部（回転部）と使用者の肌との当接量（面積）が限定されるため、使用者に対して所望の刺激を付与することが可能となる。
【００１８】
請求項８に記載の発明は、請求項７に記載の美容器であって、少なくとも外表面が柔軟材で覆われる自転可能な第１ローラ部と、金属部材で構成される前記第１ローラ部の公転と同心円上に、該第１ローラ部とは別に自転不能に支持される第２ローラ部とを備えて前記回転部が構成されるものであり、自転可能な前記第１ローラ部は、その最外周軌跡が自転不能に支持される前記第２ローラ部の前記最外周軌跡よりも前記軸直交方向において外側に位置するように設定されたことをその要旨とする。
【００１９】
この発明では、少なくとも外表面が柔軟材で覆われる自転可能な第１ローラ部と、金属部材で構成されるとともに、第１ローラ部の公転と同心円上に第１ローラ部とは別に自転不能に支持される第２ローラ部とを備えて回転部が構成される。そして、自転可能な第１ローラ部は、その最外周軌跡が自転不能に支持される第２ローラ部の最外周軌跡よりも軸直交方向において外側に位置するように設定される。ここで、例えば軸直交方向において、金属部材で構成される自転不能に支持された第２ローラ部の最外周軌跡と、外表面が柔軟材で覆われる自転可能な第１ローラ部の最外周軌跡が一致するようにした場合、金属部材で構成される自転不能な第２ローラ部による肌への刺激量が、外表面が柔軟材で覆われる自転可能な第１ローラ部による肌への刺激量よりも大きくなってしまう。つまり、本構成では、自転不能に支持される第２ローラ部よりも外表面が柔軟材で覆われる自転可能な第１ローラ部の最外周軌跡が軸直交方向において外側に位置するように設定することで、前述した刺激量の違いを調整して使用者の肌に対して好適な刺激を付与することが可能となる。
【発明の効果】
【００２０】
請求項１に記載の発明によれば、回転部には、使用者の肌と当接するとともに自転可能なローラ部と、このローラ部を公転可能に支持する公転部とが備えられ、この公転部がモータの駆動により自動で回転するように構成される。このような構成とすることで、モータの駆動によってローラ部を公転させることができるため、そのローラ部が公転されて周期的（連続的）に使用者の肌の同一部分を刺激、つまりエステティシャンの行うような手技を模した動作とが可能となり、より好適に使用者の肌に刺激を付与することができる。また、回転部の回転方向が使用者の肌を持ち上げる方向となるように使用することで、本構成において、使用者の肌を持ち上げるような刺激を使用者に付与することができる。
【００２１】
請求項２に記載の発明によれば、回転部には自転可能なローラ部の公転と同心円上に、そのローラ部とは別に自転不能に支持されるローラ部が設けられる。このように、自転不能に支持されるローラ部を設け、公転させることで、使用者の肌上を転がらず、肌を持ち上げる動作をより大きくすることが可能となる。これにより、より高い肌の引き上げ効果を使用者に付与することができる。
【００２２】
請求項３に記載の発明によれば、自転可能なローラ部の少なくとも外表面が柔軟材で覆われることで、使用者の肌との当接の際の当たり感をソフトにすることができ、好適な刺激を使用者に付与することが可能となる。
【００２３】
請求項４に記載の発明によれば、ローラ部は、金属部材で構成されるため、ローラ部の自重を大きくでき、公転されるローラ部による使用者の肌との当接の際の刺激の大きさを大きくでき、肌への刺激を高めることができる。また、請求項２に記載の構成の様に自転不能に支持されるローラ部を金属部材で構成し、請求項３に記載の構成の様に外周面を柔軟材で覆わない構成とすることで、金属部材の滑らかな外表面により使用者の肌上を滑るような動作が実現可能となる。このため、例えば自転不能なローラ部の外表面をゴム等の柔軟材で覆う構成と比較した場合に、上記構成では使用者への過度な刺激を抑えることができ、より好適な刺激を付与することが可能となる。
【００２４】
請求項５に記載の発明によれば、金属部材は、その外表面に酸化膜を設ける処理が施される。このような構成とすることで、皮脂などによる金属部材の酸化にて発生する酸化物の汚れなどの発生を抑えることができる。
【００２５】
請求項６に記載の発明によれば、回転部を有するヘッド部は、弾性部材を介してフロート支持されて構成される。このため、使用者の肌に対して回転部を構成するローラ部の当たり感を柔軟にすることができ、使用者に好適に刺激を付与することが可能となる。
【００２６】
請求項７に記載の発明によれば、ローラ部の周囲の前記ヘッド部の部位には、使用者の肌と当接可能な肌当接部が備えられる。そして、ローラ部は、その公転に伴う最外周軌跡が回転部の軸中心と直交する軸直交方向において肌当接部と同位若しくは外側に位置するように設定される。このような構成とすることで、本装置使用中における回転部の軸直交方向において、肌当接部にて使用者の肌の移動（変位）が抑えられる。このため、ローラ部（回転部）と使用者の肌との当接量（面積）が限定されるため、使用者に対して所望の刺激を付与することが可能となる。
【００２７】
請求項８に記載の発明によれば、少なくとも外表面が柔軟材で覆われる自転可能な第１ローラ部と、金属部材で構成されるとともに、第１ローラ部の公転と同心円上に第１ローラ部とは別に自転不能に支持される第２ローラ部とを備えて回転部が構成される。そして、自転可能な第１ローラ部は、その最外周軌跡が自転不能に支持される第２ローラ部の最外周軌跡よりも軸直交方向において外側に位置するように設定される。ここで、例えば軸直交方向において、金属部材で構成される自転不能に支持された第２ローラ部の最外周軌跡と、外表面が柔軟材で覆われる自転可能な第１ローラ部の最外周軌跡が一致するようにした場合、金属部材で構成される自転不能な第２ローラ部による肌への刺激量が、外表面が柔軟材で覆われる自転可能な第１ローラ部による肌への刺激量よりも大きくなってしまう。つまり、本構成では、自転不能に支持される第２ローラ部よりも外表面が柔軟材で覆われる自転可能な第１ローラ部の最外周軌跡が軸直交方向において外側に位置するように設定することで、前述した刺激量の違いを調整して使用者の肌に対して好適な刺激を付与することが可能となる。
【００２８】
本発明によれば、より好適に使用者の肌に刺激を付与することができる美容器を提供することができる。
【図面の簡単な説明】
【００２９】
【図１】本実施形態における美容器の外観図である。
【図２】美容器の断面図である。
【図３】美容器の断面図である。
【図４】美容器の分解斜視図である。
【図５】美容器の分解斜視図である。
【図６】美容器の分解斜視図である。
【図７】モータケース及び電池基台の斜視図である。
【図８】美容器のヘッド部の上面図である。
【発明を実施するための形態】
【００３０】
以下、本発明を具体化した一実施形態を図面に従って説明する。
図１は本発明の美容器の外観図を示している。美容器１０は、美容器本体部１１と、この美容器本体部１１の一端側に接続されるヘッド部１２とで主体が構成されている。
【００３１】
美容器本体部１１は、図２及び図３に示すように、その本体部側ハウジング１３内部に、電池基台１４に設けられる蓄電池１５と、この蓄電池１５からの電力供給により回転駆動されるモータ１６と、このモータ１６等の各種制御を行う制御回路を有する回路基板１７とを備えている。
【００３２】
本体部側ハウジング１３は、筒状で、ヘッド部１２が接続される上端側が幅方向（図１において左右方向）に広がるように構成されており、使用者により把持された際に把持しやすい大きさとなるように形成されている。
【００３３】
また、本体部側ハウジング１３には、図１及び図３に示すように、外側面１３ａの前部側に、電源オンオフ操作やモータ１６の速度調整を行うためのスイッチ部材２０が外部に露出するように設けられている。このスイッチ部材２０は、スイッチゴム押さえ板２１（図６参照）及び本体部側ハウジング１３にて環状のスイッチゴム２２が挟持された状態で、スイッチゴム２２の略中心部に形成される前後方向に凹状となるように設けた凹部にスイッチ部材２０後部側の凸部２０ａが挿入されるようになっている。また、このスイッチ部材２０は前部側の外縁部２０ｂが略円環状のスイッチパネル２３にて本体部側ハウジング１３内部（後部）側に押圧された状態で、スイッチパネル２３のフック部が本体部側ハウジング１３と前後方向に係止されることでスイッチ部材２０の抜けが防止されている。尚、スイッチゴム２２がスイッチゴム押さえ板２１及び本体部側ハウジング１３にて挟持されることで、弾性変形されるため水等の浸入が防止されている。
【００３４】
また、本体部側ハウジング１３は、その外側面１３ａにおける前記スイッチ部材２０よりも下側に、上下方向に略同一形状の貫通孔１３ｃが形成されている。この貫通孔１３ｃには、回路基板１７と電気的に接続されるＬＥＤ２５（図３参照）を導光するＬＥＤカバー２６が圧入固定されており、水等の浸入が防止されている。そして、ＬＥＤ２５により、充電表示や後述するローラブロック６１の回転速度のモード表示がされるようになっている。
【００３５】
また、本体部側ハウジング１３の下部側の開口部１３ｂには、この開口部１３ｂを閉塞する略円盤状の下側カバー３０が設けられている。
下側カバー３０には、図６に示すようにその外周に溝部３０ａが形成されるとともに、この溝部３０ａには本体Ｏリング３１が装着されるようになっている。そして、下側カバー３０には、図２に示すようにその下面から上面にかけて貫通する貫通孔３０ｂが計２つ形成されており、この貫通孔３０ｂ各々にはネジ３２がＯリング３４（図６参照）を介在させた状態で挿通されている。そして、貫通孔３０ｂに挿通される前記ネジ３２の先端側は、本体部側ハウジング１３の長手方向に沿って配置される電池基台１４の下部に形成されたネジ穴１４ａに締結され、下側カバー３０が本体部側ハウジング１３の開口部１３ｂを閉塞するように取り付けられている。このとき、本体Ｏリング３１が下側カバー３０と本体部側ハウジング１３との隙間を埋めるように弾性変形されるとともに、前記ネジ３２の締結の際にネジ３２に挿通されたＯリング３４がネジ３２及び下側カバー３０の貫通孔３０ｂとの隙間を埋めるように弾性変形されるため、好適にシールされて水等の液体の浸入を防止されている。
【００３６】
下側カバー３０には、電池基台１４の下部に取り付けられるプラグ基台３５と一体となったプラグ端子３６が下方に突出され、その突出されるプラグ端子３６が図示しない外部電源と電気的に接続可能に構成されている。そして、このプラグ端子３６が外部電源と接続されることにより、電池基台１４に所定間隔隔てて固定される２つの電池金具３７（図５参照）によって挟持された蓄電池１５が、電池金具３７と電気的に接続された回路基板１７（図３及び図５参照）及び電池金具３７を介して充電されるようになっている。
【００３７】
電池基台１４の上部には、図２、図３及び図５に示すように有底筒状の収容部４０が一体成形にて設けられている。この収容部４０には、その内側にモータ１６を収容するモータケース４１が設けられている。モータケース４１は、有底筒状に構成されるとともに、その下部側の開口部４１ａからモータ１６を収容した状態で、略円盤状のケースカバー４２がネジ４３によってモータケース４１に取り付けられることで、その開口部４１ａが閉塞されている。
【００３８】
また、ケースカバー４２の下面には、図５及び図７に示すように下方に延びる凸部４２ａが形成されるとともに、この凸部４２ａには上下方向に伸縮可能なフロートバネ４５が取り付けられている。そして、フロートバネ４５の下端側は、図２及び図３に示すように収容部４０の底部４０ａと当接するようになっている。このため、フロートバネ４５によりケースカバー４２及びモータケース４１が上下方向所定範囲内において移動可能にフロート支持されている。
【００３９】
また、モータケース４１は、図３及び図５に示すように略扁平形状のモータ１６の扁平面１６ａと対向する扁平面４１ｂを計２つ備え、各扁平面４１ｂにはそれら扁平面４１ｂの外側から扁平方向と直交する方向（前後方向）に突出する突出支持部４１ｃがそれぞれ２つ形成されている。各扁平面４１ｂに形成される突出支持部４１ｃはカムローラ軸４７の両端を支持するとともに、このカムローラ軸４７にはカムローラ４８が回転可能に設けられている。このカムローラ４８は、モータケース４１を収容する収容部４０の内側面と当接するようになっており、前述のフロート時に当接した状態でカムローラ４８が回転するようになっている。
【００４０】
また、モータケース４１の上端側にはネジ４９によりモータケース４１に固定される略円盤状のモータ基台５０が設けられている。このモータ基台５０には、その上端側の外周に図示しない溝部５０ｂが形成されており、この溝部５０ｂには柔軟材（例えばゴム）で構成される略円筒状の本体パッキン５１の上端が固定されている。また、収容部４０の上端側において径方向に突出するフランジ部４０ｂには、その外周側に溝部が形成されており、この溝部には本体パッキン５１の下端が固定されている。このため、本体部側ハウジング１３の上側の開口部１３ｄから水等の液体の浸入が本体パッキン５１にて防止されている。また、前述の上下方向へのフロート時において、本体パッキン５１は好適に変形されるため、フロート時の動作を障害となることが抑えられている。
【００４１】
モータケース４１に収容されるモータ１６は、前述したように略扁平形状をなし、図２及び図３に示すようにモータケース４１の底部中央に形成された貫通孔４１ｄ及び前記モータ基台５０の略中央位置に形成された貫通孔５０ａからモータ１６のモータ軸１６ｂを突出させた状態で取り付けられている。また、モータ１６のモータ軸１６ｂには、断面Ｍ字状のシール部材５２が挿通された状態で軸先端側にピニオンギア５５が圧入固定されている。そして、モータ１６のモータ軸１６ｂとは反対側の下端部は、ケースカバー４２の底部中心から上方向に突出する突出支持部４２ｂによって支持されており、モータ１６の抜け落ちが防止されている。また、モータ１６はモータ軸１６ｂとは反対側に、ターミナル１６ｃが計２つ備えられ、そのターミナル１６ｃ各々にリード線４４（図５参照）の一端が接続されている。そして、各リード線４４の他端が回路基板１７に接続されている。
【００４２】
前述のように構成された美容器本体部１１の一端側に接続されるヘッド部１２は、図４に示すように、モータ１６の回転駆動力を伝達する複数のギアからなる駆動伝達機構６０と、この駆動伝達機構６０にて伝達される回転駆動力にて回転されるローラブロック６１とを備えている。
【００４３】
駆動伝達機構６０を構成する駆動ギア６２は、図２〜図４に示すように、その基端側がモータ軸１６ｂに設けられるピニオンギア５５と噛合されるとともに、モータケース４１の上端側とネジ４９によって固定されるモータ基台５０には駆動ギア軸６３の一端側が圧入されており、この駆動ギア軸６３を回転中心として前記駆動ギア６２が回転可能に設けられている。また、駆動ギア軸６３の他端側は、Ｏリング６４に挿通された２つのネジ６５によりモータ基台５０と固定される支持部を構成する第１基台６６に圧入固定されている。そして、ネジ６５が挿通される図示しないネジ孔からの水等の液体の浸入がＯリング６４にて防止されている。
【００４４】
また、駆動ギア軸６３にて支持される駆動ギア６２は、その先端側が中間ギア７０と噛合されている。この中間ギア７０は、一端が第１基台６６に支持されるとともに他端が第１基台６６に取り付けられる支持部を構成する第２基台７１に支持された中間ギア軸７２にて支持されており、この中間ギア軸７２を中心に回転可能に設けられている。尚、中間ギア軸７２は、駆動ギア軸６３に対して直交する方向に延びるように設けられており、中間ギア７０及び駆動ギア６２とでモータ１６の回転方向が直交する方向に変換されるようになっている。
【００４５】
中間ギア７０は、連結ギア７３と噛合されている。この連結ギア７３は、一端が第１基台６６に支持されるとともに他端が第２基台７１に支持される連結ギア軸７４にて回転可能に設けられている。また、連結ギア７３はローラギア７５と噛合されており、このローラギア７５は、一端が第１基台６６に支持されるとともに他端が第２基台７１に支持される回転支軸７６により回転可能に支持されている。
【００４６】
またローラギア７５には、ヘッド部１２を構成する回転部としてのローラブロック６１を構成する第１取付台８１が図示しないねじにて一体回転可能に設けられている。
ローラブロック６１及び公転部を構成する第１取付台８１は、回転支軸７６が挿通される挿通ベース部８１ａと、この挿通ベース部８１ａの一端側に設けられる略円盤状の被取付部８１ｂとで構成されている。尚、被取付部８１ｂは、その一部が、第１基台６６の上面６６ａよりも突出する右側縁部６６ｂに設けられる回転支軸７６の軸方向（図２において幅方向）に貫通する貫通孔６６ｃに一部挿通されており、その挿通部位の軸方向端部が前記ローラギア７５と当接されてネジで固定されている。挿通ベース部８１ａの軸方向他端側（前記被取付部８１ｂとは反対側）には、前記回転支軸７６が挿通される公転部を構成する略円盤状の第２取付台８５が設けられている。この第２取付台８５は前記第１基台６６の上面６６ａよりも突出する左側縁部６６ｄに取り付けられている。
【００４７】
また、第１取付台８１の挿通ベース部８１ａの径方向外側には、ローラ部９０が第１取付台８１と一体回転（公転）可能に設けられる。またローラ部９０は、略円柱状の金属部材（例えばアルミニウムや真鍮など）で構成されるローラ本体９０ａと、ローラ本体９０ａの外周面を覆う柔軟材（例えばゴム）で構成されるローラカバー９０ｂとで構成されている。
【００４８】
ローラ本体９０ａの軸方向端部のそれぞれには、自転軸としてのローラ回転軸９１の一端側が圧入固定されており、各ローラ回転軸９１の他端側は、前記第１取付台８１及び第２取付台８５に形成される係合凹部９２と係合され、ローラ本体９０ａが回転（自転）可能に支持されている。また、ローラ本体９０ａには、軸方向端部側のそれぞれにおける外周面には、径方向内側に凹となる溝部９３が形成されている。
【００４９】
ローラカバー９０ｂは、略円筒状に構成されるとともに、その内周面には径方向内側に凸となる凸部９４が形成されている。この凸部９４は、前記ローラ本体９０ａの外周面に形成される溝部９３と係合するようになっており、ローラカバー９０ｂの軸方向（図２において幅方向）への位置ずれが防止されている。
【００５０】
また、ローラ部９０の挿通ベース部８１ａを介した対極位置（ローラ部９０とは回転支軸７６を中心として周方向１８０°反対位置）には、略円柱状の金属部材（例えばアルミニウムや真鍮など）で構成される肌押さえ部９５が第１取付台８１と一体回転（公転）可能に設けられる。肌押さえ部９５の外表面は、アルマイト処理による酸化膜が設けられる処理が施されている。
【００５１】
肌押さえ部９５の両端には断面Ｄ字状の凸部９５ａが設けられており、この凸部９５ａが第１取付台８１及び第２取付台８５に設けられた断面Ｄ字状の凹部９６圧入固定されることにより、回転（自転）しないように構成されている。また、第１取付台８１には凸部８１ｃが設けられており、第２取付台８５の凹部８５ａと嵌合することによりねじれないようになっており、図示しないネジにより第１取付台８１及び第２取付台８５とを固定することで、ローラ部９０及び肌押さえ部９５の傾きやねじれを防止している。
【００５２】
尚、ローラ部９０の軸方向両端面と、第１取付台８１及び第２取付台８５との間には０．５ｍｍ以上の隙間が設けられるとともに、肌押さえ部９５の軸方向両端面と、第１取付台８１及び第２取付台８５との間には０．５ｍｍ以上の隙間が設けられており、これらの隙間は１．０ｍｍ以上が望ましく、このような構成とすることで毛髪等が絡むことが抑えられている。
【００５３】
また、第１基台６６及び第２基台７１には、回転支軸７６の軸方向（図２において左右方向）の外側で下部側を覆うヘッド部１２のヘッド部１２の本体（外殻）をなすヘッド部側ハウジング１００（図１参照）を構成する第１カバー部材１０１がネジ１０２にて固設されている。
【００５４】
この第１カバー部材１０１は、上面視で略楕円状の筒状部１０１ａと、この筒状部１０１ａの上端の左右側縁から前記左右方向に広がりつつ上方向に突出する２つの突出部１０１ｂとで構成されている。筒状部１０１ａの下部側は本体部側ハウジング１３の上側の開口部１３ｄに挿入された状態でモータ基台５０と係合されている。そして、筒状部１０１ａの上端側の突出部１０１ｂは、筒状部１０１ａの周方向において正対するように形成されている。また、第１カバー部材１０１の上端側にはヘッド部側ハウジング１００を構成する支持部の外殻部としての第２カバー部材１０５が組み付けられたヘッド部側ハウジング１００を構成する第３カバー部材１０６が取り付けられている。
【００５５】
第１カバー部材１０１の上端側に取り付けられる第３カバー部材１０６は、第１カバー部材１０１の上端に沿って枠状に形成されており、第１カバー部材１０１の突出部１０１ｂ上端側と当接する被覆部１０７が設けられている。
【００５６】
第２カバー部材１０５は第３カバー部材１０６の内周縁部１０６ａに沿って枠状に形成されるベース部１０５ａと、このベース部１０５ａの上部側において左右方向に突出する凸部１０５ｂとを備えている。また、凸部１０５ｂは、前記被覆部１０７と対応する位置に形成されており、この凸部１０５ｂの上端部は、第３カバー部材１０６の被覆部１０７上端側における下面と上下方向で係合するようになっている。そのため、第２カバー部材１０５の左右の浮き上がりが防止されている。尚、第３カバー部材１０６の被覆部１０７下端側には、フック部１０８が設けられており、第１カバー部材１０１に設けた図示しない凹部と係合することで、第３カバー部材１０６の左右の浮き上がり等を防止している。
【００５７】
また、図１及び図２に示すように前記ベース部１０５ａの側部上端部１０５ｄの最上端位置Ｐ１がローラブロック６１の回転に伴う最も外側の最外周軌跡Ｌ１（図３におけるローラ部９０の外周部位が公転に伴って描く軌跡であり、本実施形態では半径１３ｍｍ）の上端位置Ｐ２よりも下方向に位置（本実施形態では１．５ｍｍ下方に位置）するように構成されている。つまり、側部上端部１０５ｄよりもローラブロック６１の最外周軌跡Ｌ１が上方に位置するように構成されている。具体的には、ローラブロック６１を構成するローラ部９０が最上部の位置にあるときに、ベース部１０５ａの側部上端部１０５ｄよりも上方に１．５ｍｍ突出するように構成されている。
【００５８】
また、ローラブロック６１を構成する肌押さえ部９５が最上部の位置（図２におけるローラ部９０の位置）にあるときに、ベース部１０５ａの側部上端部１０５ｄよりも上方に０．５ｍｍ突出するように構成されている。このような構成とすることで、本装置１０使用中におけるローラブロック６１の軸直交方向（上下方向）において、肌当接部としての側部上端部１０５ｄにて使用者の肌の移動（変位）が抑えられる。このため、ローラ部９０及び肌押さえ部９５と使用者の肌との当接量（面積）が限定されるため、使用者に対して所望の刺激を付与することが可能となる。
【００５９】
尚、上述のことから分かるように本実施形態では、ローラ部９０の公転に伴う最外周軌跡Ｌ１が肌押さえ部９５の公転に伴うその最外周軌跡Ｌ２よりも軸直交方向において外側、つまり最外周軌跡Ｌ１の直径＞最外周軌跡Ｌ２の直径となるように設定されている。ここで、本構成と比較して、金属部材で構成される自転不能に支持された肌押さえ部９５の位置と、外表面がローラカバー９０ｂで覆われる自転可能なローラ部９０の最外周軌跡とを一致するようにした場合では、金属部材で構成される自転不能な肌押さえ部９５による肌への刺激量が、外表面がローラカバー９０ｂで覆われる自転可能なローラ部９０による肌への刺激量よりも大きくなってしまう。つまり、本実施形態では、軸直交方向において自転不能に支持される肌押さえ部９５よりも外表面がローラカバー９０ｂで覆われる自転可能なローラ部９０の最外周軌跡Ｌ１が外側を通過するように設定することで、前述した刺激量の違いを調整して使用者の肌に対して好適な刺激を付与できるようになっている。
【００６０】
また、第２カバー部材１０５のベース部１０５ａには、ローラブロック６１が第１基台６６側に入り込む回転方向側（後部側）において、ローラブロック６１及び第２カバー部材１０５の後側上端部１０５ｃとの間の挟み込み部分から所定距離以上確保させるための規制部としての突出壁部１１０がベース部１０５ａの後側上端部１０５ｃから斜め上方に突出するように形成されている。突出壁部１１０は、ローラブロック６１の回転に伴う最も外側の最外周軌跡Ｌ１に沿って上方向に湾曲状をなすように形成されている。この時、突出壁部１１０は、挟み込み規制の際に使用者の肌と当接して挟み込み部分（例えば、ローラブロック６１と第２カバー部材１０５）と使用者の肌との距離を確保するべく、突出壁部１１０の内周面１１０ａと最外周軌跡Ｌ１、つまりローラ部９０（ローラブロック６１）との距離Ａは８ｍｍ〜１５ｍｍとなるように構成されている。尚、突出壁部１１０及びローラ部９０との距離Ａはローラ部９０の幅方向中央部で１０ｍｍ〜１２ｍｍ、ローラ部９０の幅方向端部側で８ｍｍ〜１０ｍｍとなるように湾曲状に構成することで、美観を向上させつつ、安全を確保した状態で小さく構成できるので使い勝手もよくなる。
【００６１】
また、突出壁部１１０は、使用者の肌と当接し得るその突出壁部１１０の上端１１０ｂから距離Ｂ（例えば３ｍｍ程度以上）まで、前記距離Ａを保つように構成されている。また、突出壁部１１０の上端１１０ｂは、ローラブロック６１の回転（公転）中心である回転支軸７６よりも下方側に位置し、その上下方向の距離Ｃが例えば２ｍｍ程度となるように構成されている。また、突出壁部１１０は、図８に示すように、ローラブロック６１の軸中心である突出壁部１１０の軸方向長さ（幅方向長さ）Ｄが前記ローラ部９０の幅方向長さよりも長くなるように構成されている。
【００６２】
上記のように構成された美容器１０では、スイッチ部材２０が本体部１１内側に押し込まれることで、電源がオン状態となり、蓄電池１５から電池金具３７、回路基板１７、及びリード線４４を介してモータ１６のターミナル１６ｃに電力が供給され、モータ１６が一方向に回転するようになっている。そして、モータ１６の回転に伴い、モータ１６のピニオンギア５５と接続された駆動伝達機構６０を介してローラブロック６１にモータ１６の回転駆動力が伝達され、ローラブロック６１が一方向（図３において反時計回り）に回転するようになっている。この時、通常使用側である美容器１０の前部側のローラブロック６１（ローラ部９０及び肌押さえ部９５）にて使用者の肌（特に顔）と接触されることで、ローラ部９０及び肌押さえ部９５が交互に連続的に使用者の肌の同一部分において下から上方向に引き上げるような刺激を付与する、つまりエスティシャンの手技を模した動作ができるようになっている。特に、肌押さえ部９５が自転不能に支持されているため、使用者の肌をより引き上げるような効果が得られるようになっている。
【００６３】
また、金属部材にて構成されるローラ本体９０ａの外表面を、柔軟材で構成されるローラカバー９０ｂにて覆うようにローラ部９０を構成したことで、使用者の肌との当接の際の当たり感をソフトにすることができ、好適な刺激を使用者に付与できるようになっている。また、肌押さえ部９５の表面に酸化膜を設ける処理が施されているため、皮脂などによる金属部材の酸化にて発生する酸化物の汚れなどの発生が抑えられ、使用者に不快感を与えるといったことが抑えられている。
【００６４】
また、ローラブロック６１を回転可能に支持する支持部としての第１基台６６及び第２基台７１の外殻部をなす第２カバー部材１０５（ベース部１０５ａ）の側部上端部１０５ｄが本装置１０使用中において使用者の肌と当接可能な肌当接部として機能するようになっている。そして、この側部上端部１０５ｄ（最上端位置Ｐ１）よりも本装置１０動作中においてローラ部９０の上端位置（Ｐ２）と肌押さえ部９５の上端位置が軸直交方向である上下方向において外側（上側）となるように設定されている。このような構成とすることで、本装置１０使用中におけるローラブロック６１の回転中心である回転支軸７６の軸直交方向において、側部上端部１０５ｄにて使用者の肌の移動（変位）が抑えられる。このため、ローラ部９０及び肌押さえ部９５と使用者の肌との当接量（面積）が限定されるため、使用者に対して所望の刺激を付与することができるようになっている。
【００６５】
また、通常使用側とは反対側、つまりローラブロック６１がローラブロック６１と対向する第１基台６６上面６６ａに入り込む側である美容器１０の後部側（後側上端部１０５ｃ）には、第２カバー部材１０５の後側上端部１０５ｃ及びローラブロック６１の間の挟み込み部分と使用者の肌との距離を確保する突出壁部１１０が設けられている。このため、ローラブロック６１回転に伴ってローラブロック６１とこのローラブロック６１を第１基台６６上面６６ａ及び第２カバー部材１０５のベース部１０５ａの後側上端部１０５ｃ側との間で起こり得る肌の挟み込みが抑えられている。
【００６６】
次に、本実施形態の特徴的な作用効果を記載する。
（１）回転部としてのローラブロック６１には、使用者の肌と当接するとともに自転可能なローラ部９０と、このローラ部９０を公転可能に支持する公転部を構成する第１取付台８１、第２取付台８５及び回転支軸７６とが備えられ、この第１取付台８１、第２取付台８５がモータ１６の駆動により自動で回転するように構成される。このような構成とすることで、モータ１６の駆動によってローラ部９０を公転させることができるため、そのローラ部９０が公転されて周期的（連続的）に使用者の肌の同一部分を刺激、つまりエステティシャンの行うような手技を模した動作とが可能となり、より好適に使用者の肌に刺激を付与することができる。また、ローラブロック６１の回転方向が使用者の肌を持ち上げる方向となるように使用することで、本構成において、使用者の肌を持ち上げるような刺激を使用者に付与することができる。
【００６７】
（２）ローラブロック６１には自転可能なローラ部９０の公転と同心円上に、ローラ部９０とは別に自転不能に支持されるローラ部としての肌押さえ部９５が設けられる。このように、自転不能に支持される肌押さえ部９５を設け、公転させることで、使用者の肌上を転がらず、肌を持ち上げる動作をより大きくすることが可能となる。これにより、より高い肌の引き上げ効果を使用者に付与することができる。
【００６８】
（３）自転可能なローラ部９０を構成するローラ本体９０ａの外表面が柔軟材で構成されるローラカバー９０ｂで覆われることで、使用者の肌との当接の際の当たり感をソフトにすることができ、好適な刺激を使用者に付与することが可能となる。
【００６９】
（４）ローラ部９０及びローラ部としての肌押さえ部９５は、金属部材で構成されるため、ローラ部９０及び肌押さえ部９５の自重を大きくでき、公転されるローラ部９０及び肌押さえ部９５による使用者の肌との当接の際の刺激の大きさを大きくでき、肌への刺激を高めることができる。また、実施形態では、自転不能に支持される肌押さえ部９５が金属部材で構成しているため、金属部材の滑らかな外周面に使用者の肌上を滑るような動作が実現可能となる。このため、自転不能に支持される肌押さえ部９５の外表面を、ローラ部９０同様にゴム等の柔軟材で覆う構成と比較した場合に、上記構成では使用者への過度な刺激を抑えることができ、より好適な刺激を付与することが可能となる。
【００７０】
（５）金属部材で構成される肌押さえ部９５は、その外表面に酸化膜を設ける処理が施される。このような構成とすることで、皮脂などによる金属部材の酸化にて発生する酸化物の汚れなどの発生を抑えることができる。
【００７１】
（６）ローラブロック６１を有するヘッド部１２は、弾性部材としてのフロートバネ４５を介してフロート支持されて構成される。このため、使用者の肌に対してローラブロック６１を構成するローラ部９０及び肌押さえ部９５の当たり感を柔軟とすることができ、使用者に好適に刺激を付与することが可能となる。
【００７２】
（７）ローラ部９０及び肌押さえ部９５の周囲のヘッド部１２の部位である第２カバー部材１０５（ベース部１０５ａ）には、使用者の肌と当接可能な肌当接部としての側部上端部１０５ｄが備えられる。そして、ローラ部９０及び肌押さえ部９５は、その公転に伴う最外周軌跡Ｌ１が上下方向において側部上端部１０５ｄよりも外側（上側）に位置するように設定される。このような構成とすることで、本装置１０使用中におけるローラブロック６１の上下方向において、側部上端部１０５ｄにて使用者の肌の移動（変位）が抑えられる。このため、ローラ部９０及び肌押さえ部９５と使用者の肌との当接量（面積）が限定されるため、使用者に対して所望の刺激を付与することが可能となる。
【００７３】
（８）自転可能な第１ローラ部としてのローラ部９０と、金属部材で構成されるとともに、ローラ部９０の公転と同心円上にローラ部９０とは別に自転不能に支持される第２ローラ部としての肌押さえ部９５とを備えてローラブロック６１が構成される。そして、自転可能なローラ部９０は、その最外周軌跡Ｌ１が自転不能に支持される肌押さえ部９５の最外周軌跡Ｌ２よりも軸直交方向（上下方向）において外側に位置するように設定される。ここで、例えば肌押さえ部９５の最外周軌跡Ｌ２と、ローラ部９０の最外周軌跡Ｌ１が一致するようにした場合、金属部材で構成される自転不能な肌押さえ部９５による肌への刺激量が、外表面が柔軟材で覆われる自転可能なローラ部９０による肌への刺激量よりも大きくなってしまう。つまり、本実施形態の構成では、自転不能に支持される肌押さえ部９５よりも外表面が柔軟材で覆われる自転可能なローラ部９０の最外周軌跡Ｌ１が軸直交方向において外側に位置する（最外周軌跡Ｌ１の直径＞最外周軌跡Ｌ２の直径となる）ように設定することで、刺激量の違いを調整して使用者の肌に対して好適な刺激を付与することが可能となる。
【００７４】
尚、本発明の実施形態は、以下のように変更してもよい。
・上記実施形態では、ローラ部９０（ローラ本体９０ａ）及び肌押さえ部９５を金属部材で構成したが、例えば樹脂など金属部材以外の部材で構成してもよい。
【００７５】
・上記実施形態では、金属部材で構成される肌押さえ部９５の外表面を酸化膜を設ける処理を施す構成としたが、これに限らず、酸化膜を設けない構成を採用してもよい。
・上記実施形態では、自転可能に構成されるローラ本体９０ａの外表面を柔軟材としてのローラカバー９０ｂで覆うように構成したが、これに限らない。ローラ本体９０ａをローラカバー９０ｂにて覆わない構成としてもよい。また、ローラ本体９０ａ全体（ローラ部９０）をゴムなどの柔軟材にて構成してもよい。
【００７６】
・上記実施形態では、ヘッド部１２（回転部としてのローラブロック６１）が本体部１１（本体部側ハウジング１３）に対してフロート支持されるように構成したが、フロート支持以外の構成であってもよい。
【００７７】
・上記実施形態では、自転不能に支持される肌押さえ部９５を設ける構成としたが、省略した構成を採用してもよい。また、この肌押さえ部９５は、円柱状に限らず、円筒状やその他の形状であってもよい。但し、肌との当接面が湾曲状になることが望ましい。
【００７８】
・上記実施形態では、ローラブロック６１を構成するローラ部９０及び肌押さえ部９５の各最外周軌跡Ｌ１，Ｌ２が側部上端部１０５ｄよりも回転支軸７６の軸直交方向（上下方向）において外側（上側）となるように設定したが、これに限らない。各最外周軌跡Ｌ１，Ｌ２が側部上端部１０５ｄと軸直交方向（上下方向）において同位となるように構成してもよい。
【００７９】
・上記実施形態では、ローラブロック６１を構成するローラ部９０の最外周軌跡Ｌ１がローラブロック６１を構成する肌押さえ部９５の最外周軌跡Ｌ２よりも軸直交方向において外側、つまり最外周軌跡Ｌ１の直径＞最外周軌跡Ｌ２の直径となるように設定したが、これに限らない。例えば最外周軌跡Ｌ１の直径＝最外周軌跡Ｌ２となる構成や、最外周軌跡Ｌ１＜最外周軌跡Ｌ２となる構成を採用してもよい。
【００８０】
・上記実施形態では、突出壁部１１０を設けたが、省略した構成であってもよい。
・上記実施形態では、通常使用側である突出壁部１１０形成位置とは反対側の本体部側ハウジング１３の前部にスイッチ部材２０を設けたが、これに限らず、スイッチ部材２０は例えば本体部側ハウジング１３の後部等、任意の位置に設けてもよい。
【００８１】
・上記実施形態では、自転可能に設けられるローラ部９０を１つ設けたが、２つ以上設けた構成を採用してもよい。
・上記実施形態では、モータ１６との回転駆動方向が駆動伝達機構６０にて直交する方向に変換されてローラブロック６１が回転するように構成したが、これに限らず、モータ１６とローラブロック６１との回転方向を同一方向とした構成を採用してもよい。
【符号の説明】
【００８２】
１０…美容器、１１…美容器本体部（本体部）、１２…ヘッド部、１３…本体部側ハウジング（ハウジング）、１６…モータ、４５…フロートバネ（弾性部材）、６１…ローラブロック（回転部）、６６…第１基台（支持体）、７１…第２基台（支持体）７６…回転支軸（公転部）、８１…第１取付台（公転部）、８５…第２取付台（公転部）、９０…ローラ部（第１ローラ部）、９０ａ…ローラ部を構成するローラ本体、９０ｂ…ローラカバー（柔軟材）、９５…肌押さえ部（第２ローラ部）、１０５ｄ…側部上端部（肌当接部）、Ｌ１，Ｌ２…最外周軌跡。
【図１】
2011005187.tif 000003
【図２】
2011005187.tif 000004
【図３】
2011005187.tif 000005
【図４】
2011005187.tif 000006
【図５】
2011005187.tif 000007
【図６】
2011005187.tif 000008
【図７】
2011005187.tif 000009
【図８】
2011005187.tif 000010